(57)【要約】【課題】室外側熱交換器の熱交換能力を低下させることなく、別部材の追加無しで、凝縮水が本体外へ飛び出すのを防止することができる一体型空気調和機を提供する。【解決手段】室外側熱交換器１６をコ字形に形成し、その室外側熱交換器１６をキャビネット１の室外側４全面の壁面に沿って配置することにより、室外側熱交換器１６で吸込口１３及び吹出口１４を塞ぎ、吸込口１３及び吹出口１４から凝縮水が飛び出すのを防止する。【選択図】図１
2004053037.tif 000002
【特許請求の範囲】
【請求項１】
キャビネットの室外側に、室外側熱交換器と、該室外側熱交換器に水を飛散せる手段とを備えた一体型空気調和機において、
前記室外側熱交換器がキャビネットに形成された空気の吸込口及び吹出口の全面を覆うように配置されたことを特徴とする一体型空気調和機。
【請求項２】
キャビネットの室外側に、室外側熱交換器と、室外送風機とを備え、キャビネットの両側面に吸込口が形成されると共に背面に吹出口が形成された一体型空気調和機において、
前記室外側熱交換器は、前記両吸込口及び吹出口に沿って配置され、吹出口側熱交換部から冷媒を流入させ、吸込口側熱交換部から冷媒を流出させるようにしたことを特徴とする一体型空気調和機。
【請求項３】
キャビネットの室外側に、室外側熱交換器と、室外送風機と、前記該室外側熱交換器に水を飛散せる手段とを備え、キャビネットの両側面に吸込口が形成されると共に背面に吹出口が形成された一体型空気調和機において、
前記室外側熱交換器がキャビネットの両吸込口及び吹出口の全面を覆うように配置され、
吹出口側熱交換部から冷媒を流入させ、吸込口側熱交換部から冷媒を流出させるようにしたことを特徴とする一体型空気調和機。
【請求項４】
前記室外側熱交換器は、冷媒が吹出口側熱交換部の中央から流入させ、両側の吸込口側熱交換部から流出させるようにしたことを特徴とする請求項２又は３に記載の一体型空気調和機。
【請求項５】
前記室外側熱交換器がキャビネットに形成された空気の吸込口及び吹出口の壁面に沿って略コ字形に一体形成された請求項１〜４のいずれかに記載の一体型空気調和機。
【請求項６】
前記室外側熱交換器は、上下方向に配した冷媒配管と、該配管と直交して横方向に配された多数のフィンとから構成され、コーナー部においてフィンに切り込みを入れて折曲されたことを特徴とする請求項５に記載の一体型空気調和機。
【発明の詳細な説明】
【０００１】
【発明の属する技術分野】
本発明は、室内ユニットと室外ユニットとが一体的にキャビネット内に装備された一体型空気調和機に関する。
【０００２】
【従来の技術】
室内ユニットと室外ユニットとが別々に構成される空気調和機は、室内ユニットと室外ユニットとを冷媒配管、ユニット間配線等で接続させるために、家屋の壁に孔を形成しなければならず、取り付け作業は困難である。
【０００３】
そこで、取り付け作業が容易な空気調和機として一体型空気調和機がある。一体型空気調和機は、室内ユニットと室外ユニットとが一体的にキャビネット内に装備された空気調和機であり、窓に取り付ける場合は配管工事が不要となるので、容易に取り付けることができる。図２は一体型空気調和機の概略斜視図、図３はその平面図である。
【０００４】
図２及び図３に示すように、一体型空気調和機は、キャビネット１の中央部に中壁板２が立設されて室内側３と室外側４とに区画される。キャビネット１の室内側３には、キャビネット１前面１ａに室内空気吸込口５と室内空気吹出口６とが形成され、室内空気吸込口５に室内側熱交換器８が設けられ、室内側熱交換器８と対向して室内ファン９及び室内モータ１０が配される。室内側熱交換器８の下にその表面に発生する凝縮水を受ける凝縮水受け皿１１が配され、その凝縮水をキャビネット１の室外側４に導く導水手段が設けられる。
【０００５】
キャビネット１の室外側４には、キャビネット１の側面１ｂに室外空気を取り込む吸込口１３が形成され、背面１ｃに取込んだ空気を排出する吹出口１４が形成される。キャビネット１の吹出口１４の全面に室外側熱交換器１６が配され、室外側熱交換器１６と対向して室外ファン１７及び室外モータ１８が配され、室外ファン１７及び室外側熱交換器１６の周囲を囲むように導風板１９が設けられる。室外ファン１７と中壁板２との間に圧縮機２０が設けられる。
【０００６】
室外ファン１７としては、スリンガリング付きのプロペラファンが採用される。スリンガリング１７ａはプロペラファンの外周部に設けられ、冷房時において室内熱交換により発生し、導水手段によりキャビネット１の底板１ｄに導かれて溜まった凝縮水を、プロペラファンの回転力により、かきあげて室外側熱交換器１６に散水し、室外側熱交換器１６の凝縮能力の向上に寄与する。
【０００７】
しかしながら、スリンガリング１７ａによりかきあげられる水は、室外側熱交換器１６の方向だけではなく四方に飛び散ってしまうため、キャビネット１の吸込口１３から室外へ飛び出して、通行人にかかってしまうという問題があった。飛び散る水の一部は導風板１９により防げるが、導風板１９だけでは不充分である。そこで、吸込口１３の一部を塞ぐように、導風板１９に水飛び防止板２１を取り付けていた。
【０００８】
【発明が解決しようとする課題】
しかしながら、上記の構成によると、別部材として水飛び防止板２１が必要であり、さらに水飛び防止板２１が吸込口１３の一部を塞いでいるため、室外空気の吸込みの障害となり、室外側熱交換器の凝縮能力を低下させていた。また、逆に、水飛び防止板１が吸込口１３の一部しか塞いでいないので、水が飛び出すのを完全に防ぐことはできなかった。
【０００９】
また、実開昭６４−５０２６号公報には、室外ファンの吸込み側に面する位置に、過冷却用の補助熱交換器を配して、凝縮器としての総合性能の改善を図った空気調和機が記載されている。しかしながら、補助熱交換器は、水飛び防止を目的として設置されてはおらず、吸込口の一部にしか設けられていないので、吸込口から水が飛び出すのを完全に防ぐことはできなかった。
【００１０】
また、実開平６−８４２１９号公報には、室外ファンの外周部にメッシュ状の水飛び防止板を設け、スリンガリングによって掻き揚げられた水が飛び出すのを防ぐと共に水飛び防止板に当たる時の衝突音や振動音を防止した空気調和機が記載されている。しかしながら、この構成によると、別部材として水飛び防止板が必要であり、また、水飛び防止板は、室外ファンの外周部にしか設けられておらず、吸込口を塞いでいないので、プロペラファンの後方へかきあげられた凝縮水が吸込口から飛び出すのを防ぐことはできなかった。
【００１１】
また、実開平７−２２３２１号公報には、空気調和機本体に蒸発器、凝縮器及び蒸発器で発生した凝縮水を凝縮器側へ飛散する蒸発装置を設けると共に、本体背面を背面グリルにて覆う空気調和機において、蒸発装置は、凝縮器の通風経路外に設けると共に、蒸発装置に対向する背面グリルに水飛び防止部を設けた空気調和機が記載されている。しかしながら、この構成によると、蒸発装置として別部材の円板が必要であり、円板と凝縮器とを横並びに配置する必要があることから、空気調和機の外形が大きくなり、設計するうえで支障となる。
【００１２】
本発明は、上記に鑑み、別部材の追加も無しで、凝縮水が本体外へ飛び出すのを防止することのできると共に、室外熱交換器の熱交換能力の向上を可能とした一体型空気調和機の提供を目的とする。
【００１３】
【課題を解決する為の手段】
上記目的を達成するため、本発明は、キャビネットの室外側に、室外側熱交換器と、該室外側熱交換器に水を飛散せる手段とを備えた一体型空気調和機において、室外側熱交換器がキャビネットに形成された空気の吸込口及び吹出口の全面を覆うように配置されたことを特徴とする一体型空気調和機を提供するものである。
【００１４】
上記構成によると、室外側熱交換器が、開口されたキャビネットの吸込口及び吹出口の全体を塞いでいるので、水飛び防止板等の別部材を設けずとも、凝縮水がキャビネット外へ飛び出すのを完全に防ぐことができる。また、室外側熱交換器のフィンとフィンとの間には隙間があるので、吸込口から室外空気を充分に吸い込むことができ、室外側熱交換器の熱交換能力が低下することはない。
【００１５】
飛散手段としては、スリンガリング付きのファンが挙げられるが、その他の飛散可能な手段を用いても構わない。飛散手段は、室外ファンとは別に設けてもよいが、室外ファンにスリンガリング付きのファンを採用すれば、部品点数が増えず、設置面積も広くならないので好ましい。
【００１６】
また、本発明は、キャビネットの室外側に、室外側熱交換器と、室外送風機とを備え、キャビネットの両側面に吸込口が形成されると共に背面に吹出口が形成された一体型空気調和機において、室外側熱交換器は、両吸込口及び吹出口に沿って配置され、吹出口側熱交換部から冷媒を流入させ、吸込口側熱交換部から冷媒を流出させるようにしたことを特徴とする一体型空気調和機を提供するものである。
【００１７】
キャビネットの吸込口をキャビネットの両側面に形成し、吹出口をキャビネットの背面に形成すれば、吸込口が両側面の２面に形成されるので、大量の室外空気を吸い込むことができ、室外側熱交換器の熱交換能力を高めることができる。また、吸込口から室外空気を吸い込む際に、室外熱交換器の吸込口側熱交換部の熱交換がなされ、さらに空気を吹き出す際に吹出口側熱交換部の熱交換がされるので、全体として室外側熱交換器の熱交換能力を向上させることができる。なお、吸込口側熱交換部とは、キャビネットの両側面に位置する室外側熱交換器の部分であり、吹出口側熱交換部とは、キャビネットの背面に位置する室外側熱交換器の部分である。
【００１８】
また、吹出口側熱交換部から冷媒を流入させ、吸込口側熱交換部から冷媒を流出させることにより、室外側熱交換器の熱交換能力を向上させることができる。すなわち、冷房時において、室外側熱交換器内の冷媒は、吹出口側熱交換部から吸込口側熱交換部に向かって流れるため、吹出口側熱交換部よりも吸込側熱交換部のほうが冷媒の温度が低くなっている。そのため、吸込口から吸い込まれた温度の低い室外空気と吸込口側熱交換部とを先に接触させ、これにより幾分温まった空気を吹出口側熱交換部に接触させたほうが、室外側熱交換器の冷却を効率的に行うことができるからである。
【００１９】
また、上記の構成を組み合わせてもよい。すなわち、キャビネットの室外側に、室外側熱交換器と、室外送風機と、室外側熱交換器に水を飛散せる手段とを備え、キャビネットの両側面に吸込口が形成されると共に背面に吹出口が形成された一体型空気調和機において、室外側熱交換器がキャビネットの両吸込口及び吹出口の全面を覆うように配置され、室外側熱交換器は、吹出口側熱交換部から冷媒を流入させ、吸込口側熱交換部から冷媒を流出させるようにしたことを特徴とする一体型空気調和機に構成する。このような構成とすれば、水飛び防止板等の別部材を設けずとも、凝縮水がキャビネット外へ飛び出すのを完全に防ぐことができると共に、室外側熱交換器の熱交換能力を高めることができる。
【００２０】
吹出口側熱交換部から冷媒を流入させ、吸込口側熱交換部から冷媒を流出させる室外側熱交換器の形態としては、冷媒を吹出口側熱交換部の中央から流入させ、両側の吸込口側熱交換部から流出させる形態としてもよいし、または、冷媒を吹出口側熱交換部の端から流入させ、一方の吸込口側熱交換部を通って、他方の吸込口側熱交換部から流出させる形態としてもよい。前者の形態のほうが、室外熱交換器の冷却を効率的に行うことができるので好ましい。
【００２１】
また、室外側熱交換器は、キャビネットの吸込口及び吹出口のみに配置してもよいし、キャビネットに形成された空気の吸込口及び吹出口の壁面に沿って略コ字形に一体形成して配置してもよい。一体的に形成すれば、部品点数が増えないで済むので好ましい。
【００２２】
上記のように室外側熱交換器をコ字形に一体的に形成して設ける場合、室外側熱交換器を、上下方向に配した冷媒配管と、配管と直交して横方向に配された多数のフィンとから構成し、コーナー部においてフィンに切り込みを入れて折曲するのが好ましい。冷媒配管を折曲することなく室外側熱交換器を略コ字状に折曲することができる為、折曲加工性が容易となるからである。
【００２３】
【発明の実施の形態】
以下、本発明の実施形態を図面に基づいて説明する。図１は、本発明の一体型空気調和機の平面図である。一体型空気調和機は、キャビネット１内に中壁板２が立設されることにより、室内側３と室外側４とに区画される。
【００２４】
室内側３は、キャビネット１の前面１ａに、室内空気を取込む室内側吸込口５と、室内へ熱交換された空気を放出する室内側吹出口６とが設けられ、室内側吸込口５の全面に室内側熱交換器８が配され、室内側熱交換器８と対向して室内ファン９及び室内モータ１０が配される。室内側熱交換器８の下に、その表面に発生する凝縮水を受ける凝縮水受け皿１１が配され、その凝縮水をキャビネット１の室外側４に導く導水手段が設けられる。
【００２５】
導水手段は、室内側熱交換器８で発生した凝縮水を室外側４へ導くことができる構造であればよく、周知の手段を採用可能である。例えば、凝縮水受け皿１１にドレン管１２を連結し、そのドレン管１２を中壁板２にあけられた穴に通すことにより、凝縮水受け皿１１の凝縮水をキャビネット１の室外側４に導く。ドレン管１２に弁を設けて、凝縮水発生時のみ又は一定時間ごとに弁を開くのが好ましい。
【００２６】
室外側４は、キャビネット１の両側面１ｂに、室外空気を取込む吸込口１３が形成され、キャビネット１の背面１ｃに、熱交換された空気を室外へ排出する吹出口１４が形成され、キャビネット１内に、両吸込口１３からの空気が合流して吹出口１４に至る送風路１５が形成される。
【００２７】
室外側４のキャビネット１の両吸込口１３及び吹出口１４に沿って室外側熱交換器１６が配置される。室外熱交換器１６の吹出口側熱交換部１６ａと対向して送風路１５中に、室外ファン１７が設けられ、その前方に室外モータ１８が配置される。室外ファン１７の風が吹出口側熱交換部１６ａに向かうように導風板１９がキャビネットに固定され、導風板１９には風がスムーズに流れるようベルマウス１９ａが設けられる。また、室外ファン１７と中壁板２との間に圧縮機２０が設けられる。
【００２８】
室外ファン１７は、プロペラファンが使用され、その外周部に環状のスリンガリング１７ａが一体で形成される。スリンガリング１７ａがファンの回転に伴ってキャビネット１の底板１ｄ上に溜まった凝縮水に接触することにより、凝縮水がかきあげられる。
【００２９】
室外側熱交換器１６は、上下方向に配した冷媒配管１６ｃと、配管と直交する横方向の多数のフィン１６ｄとから構成され、コーナー部においてフィン１６ｄに切り込みを入れて折曲した略コの字状に、一体的に形成され、キャビネット１の両側面１ｂ及び背面１ｃに沿って配置される。室外側熱交換器１６の高さは、吸込口１３及び吹出口１４の上端よりも高く設定される。
【００３０】
また、室外側熱交換器１６は、室外側熱交換器の吹出口側熱交換部１６ａの中央から冷媒を流入させ、室外側熱交換器の吸込口側熱交換部１６ｂの前端から冷媒を流出させる。すなわち、冷房時において、吹出口側熱交換部１６ａの中央に圧縮機２０からの冷媒を流入させて、左右の吸込口側熱交換部１６ｂに向かって流れ、膨張装置を介して室内側熱交換器８に流れる冷媒回路構成となっている。なお、冷媒回路中に四方弁を介在させて、冷房だけでなく暖房可能としてもよい。
【００３１】
この冷媒回路構成とすると、圧縮機２０からの冷媒の温度は高く、流出口（吸込口側熱交換部１６ｂの前端部）に近づくに従って温度が低下するため、吸込口側熱交換部１６ｂと吹出口側熱交換部１６ａとで温度差が発生する。室外側熱交換器１６の冷却構成として、室外空気が、温度の低い吸込口側熱交換部１６ｂから吸込まれ、温度の高い吹出口側熱交換部１６ａを通って室外へ出て行くようにされるので、室外側熱交換器１６の全体としての冷却を効果的に行うことができ、室外側熱交換器１６の熱交換効率をより向上させることが可能となる。
【００３２】
以上の構成によると、室外ファン１７の回転に伴ってスリンガリング１７ａにより掻き揚げた凝縮水が、吸込口１３及び吹出口１４に向かって飛んでも、キャビネット１の吸込口１３及び吹出口１４を覆って設けられた室外側熱交換器１６に当たって蒸発するので、凝縮水が室外へ飛び出すのを防ぐことができる。したがって、室外側熱交換器１６は、水飛び防止板のように凝縮水がキャビネット外に飛び出すのを防ぐ役目を果たすので、別部材の水飛び防止板を設けないですむ。
【００３３】
また、室外側熱交換器１６のフィンとフィンとの間には隙間があるので、吸込口１３からの室外空気の流路障害とならず、充分な量の室外空気を吸い込むことができ、室外側熱交換器１６の熱交換能力を低下させない。
【００３４】
さらにまた、室外側熱交換器１６がキャビネットの側面及び背面にわたって設けられており、凝縮水は、吹出口側熱交換部１６ａ及び吸込口側熱交換部１６ｂに飛び散るため、室外側熱交換器１６の冷却を促進させることができる。
【００３５】
また、室外側熱交換器１６をキャビネットの両側面及び背面の壁面に沿ってコ字形に一体形成することにより、室外側熱交換器の表面積を大きく取ることができるので、熱交換器の能力を高めることができると共に部品点数も増えないで済むので好ましい。
【００３６】
また、室外側熱交換器１６の冷媒配管１６ｃを上下方向に配し、多数のフィン１６ｄが冷媒配管１６ｃと直交するよう構成し、且つフィン１６ｄのコーナー部に切りこみを入れることにより、冷媒配管１６ｃを折曲することなく室外側熱交換器１６を略コ字状に折曲することができる為、折曲加工性が容易となる。
【００３７】
さらに、室外側の空気吸込口１６ｂをキャビネットの両側面に形成し、空気吹出口１６ａをキャビネットの背面に形成することにより、大量の室外空気を吸込むことができると共に、室外側熱交換器１６の熱交換が吸込口側熱交換部と吹出口側熱交換部とに分けて行われる為、全体として室外側熱交換器１６の熱交換能力を向上させることができる。
【００３８】
【発明の効果】
本発明では、室外側熱交換器をキャビネットの室外側全面の壁面に沿って配置することにより、吸込口及び吹出口の開口を塞いでいるので、吸込口及び吹出口から凝縮水が飛び出すのを防止できる。また、室外側熱交換器は、フィンとフィンとの間に隙間があるので、吸込口から充分な量の室外空気を吸い込むことができ、熱交換能力が低下することがない。
【図面の簡単な説明】
【図１】本発明に係る一体型空気調和機の平面図
【図２】従来の一体型空気調和機の斜視図
【図３】従来の一体型空気調和機の平面図
【符号の説明】
１　　キャビネット
３　　キャビネットの室内側
４　　キャビネットの室外側
１３　吸込口
１４　吹出口
１５　送風路
１６　室外側熱交換器
１７　室外ファン
【図１】
2004053037.tif 000003
【図２】
2004053037.tif 000004
【図３】
2004053037.tif 000005